(57)【要約】【課題】画質の低下を抑制して撮像する。【解決手段】被写体像を捉えてその被写体像を表わす画像信号を生成する撮像装置において、被写体像のブレを、少なくとも上記画像信号が表す画像中でのブレが減少するように抑制するブレ抑制機構２５と、ブレ抑制部２５によるブレ抑制の許可および禁止を操作に応じて切り替えるブレ抑制回路３３と、被写体像のＥＶ値を検出するＡＥ＆ＡＷＢ検出回路と、ブレ抑制が禁止されている場合には、ＥＶ値が、第１の閾値「Ａ１」よりも小さいときにフラッシュを発し、ブレ抑制が許可されている場合には、その第１の閾値「Ａ１」よりも暗い第２の閾値「Ａ２」よりもさらに小さいときにフラッシュを発するフラッシュ発光装置１３とを備えた。【選択図】        図２
2008107608.tif 000002
【特許請求の範囲】
【請求項１】
被写体像を捉えて該被写体像を表わす画像信号を生成する撮像装置において、
前記被写体像のブレを、少なくとも前記画像信号が表す画像中での該ブレが減少するように抑制するブレ抑制部と、
前記ブレ抑制部によるブレ抑制の許可および禁止を操作に応じて切り替える切替部と、
前記被写体像の明るさを検出する検出部と、
前記被写体像を捉えるシャッタ秒時を前記検出部で検出された明るさに基づいて決定する、所定の明るさ以下の明るさについては、該明るさが暗いほど長いシャッタ秒時に決定するシャッタ秒時決定部と、
前記ブレ抑制部によるブレ抑制が禁止されている場合には、前記検出部で検出された明るさが、前記所定の明るさ以下の第１の明るさ基準よりも暗いときに閃光を発し、該ブレ抑制部によるブレ抑制が許可されている場合には、前記第１の明るさ基準よりも暗い第２の明るさ基準よりもさらに暗いときに閃光を発する閃光発光部とを備えたことを特徴とする撮像装置。
【請求項２】
被写体像を捉えて該被写体像を表わす画像信号を生成する、該画像信号を生成するときの感度が、所定の複数段階の感度のうちのいずれかに変更自在に設定される撮像装置において、
前記被写体像のブレを、少なくとも前記画像信号が表す画像中での該ブレが減少するように抑制するブレ抑制部と、
前記ブレ抑制部によるブレ抑制の許可および禁止を操作に応じて切り替える切替部と、
前記被写体像の明るさを検出する検出部と、
前記感度を、前記ブレ抑制部によるブレ抑制が許可されている場合には、前記ブレ抑制部によるブレ抑制が禁止されている場合よりも、所定範囲の明るさに対して相対的に低感度となり、かつ、前記検出部で検出された明るさが暗いほど高感度となるように前記複数段階の感度のうちのいずれかに設定する感度設定部とを備えたことを特徴とする撮像装置。
【請求項３】
この撮像装置の姿勢の変動を検知する検知部を備え、
前記ブレ抑制部が、前記検知部での検知結果に基づいて、この撮像装置の姿勢の変動に伴う前記被写体像のブレを抑制するものであることを特徴とする請求項１又は２記載の撮像装置。
【請求項４】
前記シャッタ秒時決定部が、前記所定の明るさよりも明るい明るさについては、前記第１のシャッタ秒時よりもＴＶ値で３以上短いシャッタ秒時を採用するものであることを特徴とする請求項１記載の撮像装置。
【請求項５】
この撮像装置は、複数の撮像モードを有するものであり、
前記複数の撮像モードのうち操作に応じた撮像モードをこの撮像装置に指定する撮像モード指定部を備え、
前記シャッタ秒時決定部が、被写体像の明るさとシャッタ秒時との対応関係を、前記複数の撮像モードそれぞれについて定義した複数のプログラム線図を有し、該複数のプログラム線図のうち、前記撮像モード指定部で指定された撮像モードに対応付けられたプログラム線図を使ってシャッタ秒時を決定するものであり、
前記切替部は、前記撮像モード指定部が、前記複数のプログラム線図のうち、所定範囲の明るさに対応付けられるシャッタ秒時が相対的に短いプログラム線図が対応付けられた撮像モードが指定された場合には、前記操作とは無関係に前記ブレ抑制部によるブレ抑制を許可するものであることを特徴とする請求項１記載の撮像装置。
【請求項６】
前記被写体像のブレが、被写体自体の動きに伴うブレを含むか否かを判定するブレ判定部を備え、
前記シャッタ秒時決定部が、被写体像の明るさとシャッタ秒時とこの撮像装置が前記画像信号を生成するときの感度との対応関係を定義した、所定範囲の明るさに対応付けられるシャッタ秒時および感度が互いに異なる複数のプログラム線図を有し、前記ブレ判定部で前記ブレが被写体自体の動きに伴うブレを含むと判定された場合には、該複数のプログラム線図のうち、前記所定範囲の明るさに対応付けられるシャッタ秒時が相対的に短いプログラム線図を使ってシャッタ秒時を決定し、該ブレ判定部で該ブレが被写体自体の動きに伴うブレを含まないと判定された場合には、該複数のプログラム線図のうち、該所定範囲の明るさに対応付けられる感度が相対的に低いプログラム線図を使ってシャッタ秒時を決定するものであることを特徴とする請求項１記載の撮像装置。
【請求項７】
前記被写体像を結像させる、焦点距離が変更自在な光学系と、
前記光学系の焦点距離を入手する焦点距離入手部とを備え、
前記シャッタ秒時決定部が、被写体像の明るさとシャッタ秒時とこの撮像装置が前記画像信号を生成するときの感度との対応関係を定義した、所定範囲の明るさに対応付けられるシャッタ秒時および感度が互いに異なる複数のプログラム線図を有し、前記焦点距離入手部で入手された焦点距離が所定長さ以上に長い場合には、該複数のプログラム線図のうち、前記所定範囲の明るさに対応付けられるシャッタ秒時が相対的に短いプログラム線図を使ってシャッタ秒時を決定し、該焦点距離が該所定長さよりも短い場合には、該複数のプログラム線図のうち、該所定範囲の明るさに対応付けられる感度が相対的に低いプログラム線図を使ってシャッタ秒時を決定するものであることを特徴とする請求項１記載の撮像装置。
【請求項８】
被写体像を捉えて該被写体像を表わす画像信号を生成する撮像装置が実行する撮像方法において、
前記被写体像のブレを、少なくとも前記画像信号が表す画像中での該ブレが減少するように抑制するブレ抑制過程と、
前記ブレ抑制過程によるブレ抑制の許可および禁止を操作に応じて切り替える切替過程と、
前記被写体像の明るさを検出する検出過程と、
前記被写体像を捉えるシャッタ秒時を前記検出過程で検出された明るさに基づいて決定する、所定の明るさ以下の明るさについては、該明るさが暗いほど長いシャッタ秒時に決定するシャッタ秒時決定過程と、
前記ブレ抑制過程によるブレ抑制が禁止されている場合には、前記検出過程で検出された明るさが、前記所定の明るさ以下の第１の明るさ基準よりも暗いときに閃光を発し、該ブレ抑制過程によるブレ抑制が許可されている場合には、前記第１の明るさ基準よりも暗い第２の明るさ基準よりもさらに暗いときに閃光を発する閃光発光過程とを備えたことを特徴とする撮像方法。
【請求項９】
被写体像を捉えて該被写体像を表わす画像信号を生成する、該画像信号を生成するときの感度が、所定の複数段階の感度のうちのいずれかに変更自在に設定される撮像装置が実行する撮像方法において、
前記被写体像のブレを、少なくとも前記画像信号が表す画像中での該ブレが減少するように抑制するブレ抑制過程と、
前記ブレ抑制過程によるブレ抑制の許可および禁止を操作に応じて切り替える切替過程と、
前記被写体像の明るさを検出する検出過程と、
前記感度を、前記ブレ抑制部によるブレ抑制が許可されている場合には、前記ブレ抑制部によるブレ抑制が禁止されている場合よりも、所定範囲の明るさに対して相対的に低感度となり、かつ、前記検出部で検出された明るさが暗いほど高感度となるように前記複数段階の感度のうちのいずれかに設定する感度設定過程とを備えたことを特徴とする撮像方法。
【発明の詳細な説明】
【技術分野】
【０００１】
本発明は、被写体像を捉えてその被写体像を表わす画像信号を生成する撮像装置、および、そのような撮像装置で実行される撮像方法に関する。
【背景技術】
【０００２】
従来、被写体像を捉えてその被写体像を表わす画像信号を生成する撮像装置が広範に用いられている。近年、このような撮像装置の小型化が進み、携帯が容易になって手軽に撮像を行うことができるようになった反面、操作ボタンを押下する等といった撮像時のユーザの手動操作によって撮像装置が動いてしまい、その動きに伴って被写体像にブレが生じてしまう手ブレという不具合が生じやすくなっている。このような手ブレが生じた状態の被写体像を捉えてしまうと、撮像で得られる画像信号が表す画像（撮像画像）中で像が流れる等といった画質の低下が生じてしまう。
【０００３】
手ブレを抑制する技術としては、光学系の光軸に直交する平面内で撮像装置の動きに応じた分だけ偏心させたレンズを経て被写体像を結像させるようにして被写体像のブレを打ち消すようにすることで手ブレを抑制する技術（例えば、特許文献１参照）や、被写体像を捉える撮像素子を光軸に直交する平面内で撮像装置の動きに応じた分だけ動かして被写体像のブレを打ち消すようにすることで手ブレを抑制して画質の向上を図る技術（例えば、特許文献２参照）等が提案されている。
【０００４】
ここで、被写体像が捉えられるシャッタ秒時内にその被写体像にブレが生じると撮像画像の画質が低下してしまう。従って、シャッタ秒時が長いほど被写体像のブレによる画質の低下が起こりやすく、被写体像のブレに対する耐性という観点からはシャッタ秒時は短いほど好ましい。一方で、多くの撮像装置では、撮像時のシャッタ秒時は、被写体像の明るさに応じて、その被写体像が暗い程シャッタ秒時が長くなるように決定される。そこで、ブレに対する耐性が所定以上に低下する上限のシャッタ秒時を撮像装置の動きに応じて求め、ブレ自体は抑制せずに、シャッタ秒時がこの上限のシャッタ秒時を超えないように制御することで画質の向上を図るという技術（例えば、特許文献３参照）等も提案されている。
【０００５】
ところで、被写体像のブレには、上記のような手ブレだけでなく、被写体自体が動いてしまうことによって生じる被写体ブレもある。シャッタ秒時内にこのような被写体ブレが生じた場合にも撮像画像の画質が低下してしまう。上記の特許文献１および特許文献２に記載されている技術ではこのような被写体ブレを抑制することは不可能である。一方、特許文献３に記載されている技術では、被写体像のいずれのブレについても、ブレ自体は抑制していないが、上限のシャッタ秒時を被写体ブレの発生をも考慮して設定することで撮像画像の画質の向上を図ることができると考えられる。
【０００６】
しかしながら、このようにシャッタ秒時に単に上限を設けるだけでは、被写体像の明るさが、その上限のシャッタ秒時よりも長いシャッタ秒時を要する程に暗い場合に露出不足となってしまうという問題がある。そこで、そのような場合には、たとえ撮像環境の明るさに多少の余裕があってもフラッシュを発光させて被写体像の明るさを増し、それにより撮像時のシャッタ秒時の短縮を図ることで、被写体像のブレに対する撮像の耐性を強化して画質の向上を図るという技術等が考えられる。
【０００７】
また、撮像装置における撮像時の感度が高いほどシャッタ秒時を短縮できることから、露出不足が生じそうな場合には、なるべく高感度で撮像を行ってシャッタ秒時の短縮を図ることで、被写体像のブレに対する撮像の耐性を強化して画質の向上を図るという技術等も考えられる。
【特許文献１】特開２００５−３５２０３３号公報
【特許文献２】特開２００６−４２３２０号公報
【特許文献３】特開平５−２６５０６９号公報
【発明の開示】
【発明が解決しようとする課題】
【０００８】
ここで、上記のようにフラッシュの発光によってシャッタ秒時を短縮しブレに対する耐性を強化して画質の向上を図るという技術では、撮像環境の明るさに多少の余裕があるにも係わらずフラッシュが発光されることで被写体像の自然さが損なわれ、撮像画像の画質が低下してしまう恐れがある。
【０００９】
また、なるべく高感度で撮像を行ってシャッタ秒時を短縮しブレに対する耐性を強化して画質の向上を図るという技術では、その高感度に起因するノイズの上昇により撮像画像の画質が低下してしまう恐れがある。
【００１０】
本発明は、上記事情に鑑み、画質の低下を抑制して撮像することができる撮像装置と、そのような撮像を実行することができる撮像方法を提供することを目的とする。
【課題を解決するための手段】
【００１１】
上記目的を達成する本発明の撮像装置のうちの第１の撮像装置は、被写体像を捉えてその被写体像を表わす画像信号を生成する撮像装置において、
上記被写体像のブレを、少なくとも上記画像信号が表す画像中でのそのブレが減少するように抑制するブレ抑制部と、
上記ブレ抑制部によるブレ抑制の許可および禁止を操作に応じて切り替える切替部と、
上記被写体像の明るさを検出する検出部と、
上記被写体像を捉えるシャッタ秒時を上記検出部で検出された明るさに基づいて決定する、所定の明るさ以下の明るさについては、その明るさが暗いほど長いシャッタ秒時に決定するシャッタ秒時決定部と、
上記ブレ抑制部によるブレ抑制が禁止されている場合には、上記検出部で検出された明るさが、上記所定の明るさ以下の第１の明るさ基準よりも暗いときに閃光を発し、そのブレ抑制部によるブレ抑制が許可されている場合には、上記第１の明るさ基準よりも暗い第２の明るさ基準よりもさらに暗いときに閃光を発する閃光発光部とを備えたことを特徴とする。
【００１２】
本発明の第１の撮像装置によれば、上記閃光発光部で閃光を発することなくブレに対する強い耐性を維持して撮像することができる明るさの範囲、即ち、被写体像をその明るさのままで自然さを保ったまま撮像できる明るさの範囲を、上記ブレ抑制部によるブレ抑制を許可することで、そのブレ抑制の効果分だけ暗い側に拡張することができる。これにより、画質の低下を抑制して撮像することができる。一方で、例えば、上記閃光によって被写体像の自然さが多少損なわることは許容して電力消費をなるべく抑えた状態でブレを抑制して撮像したい場合等には、上記ブレ抑制部によるブレ抑制を禁止してその分だけ消費電力を節約しつつ、その代わり、上記の明るさの範囲を明るい側に縮小することで、ブレ抑制の禁止によって得られなくなった効果分だけブレに対する耐性が強化される。
【００１３】
上記目的を達成する本発明の撮像装置のうちの第２の撮像装置は、被写体像を捉えてその被写体像を表わす画像信号を生成する、その画像信号を生成するときの感度が、所定の複数段階の感度のうちのいずれかに変更自在に設定される撮像装置において、
上記被写体像のブレを、少なくとも上記画像信号が表す画像中でのそのブレが減少するように抑制するブレ抑制部と、
上記ブレ抑制部によるブレ抑制の許可および禁止を操作に応じて切り替える切替部と、
上記被写体像の明るさを検出する検出部と、
上記感度を、上記ブレ抑制部によるブレ抑制が許可されている場合には、上記ブレ抑制部によるブレ抑制が禁止されている場合よりも、所定範囲の明るさに対して相対的に低感度となり、かつ、上記検出部で検出された明るさが暗いほど高感度となるように上記複数段階の感度のうちのいずれかに設定する感度設定部とを備えたことを特徴とする撮像装置。
【００１４】
本発明の第２の撮像装置によれば、上記ブレ抑制部でブレ抑制を許可することにより相対的に低感度で撮像されるので、ノイズに対する耐性が強い撮像を行うことができる。これにより、画質の低下を抑制して撮像することができる。一方で、例えば多少のノイズは許容して電力消費をなるべく抑えた状態でブレを抑制して撮像したい場合等には、上記ブレ抑制部によるブレ抑制を禁止してその分だけ消費電力を節約しつつ、その代わり、相対的に高感度で撮像することで、ブレ抑制の禁止によって得られなくなった効果分だけブレに対する耐性を強化することとなる。
【００１５】
ここで、本発明の第１又は第２の撮像装置において、「この撮像装置の姿勢の変動を検知する検知部を備え、
上記ブレ抑制部が、上記検知部での検知結果に基づいて、この撮像装置の姿勢の変動に伴う上記被写体像のブレを抑制するものである」という形態は好ましい形態である。
【００１６】
ブレ抑制としては、例えば撮像画像中のブレを分析して、その分析結果に基づいてブレを除去する除去処理をその撮像画像に施すという方法も考えられるが、手ブレに関しては、この好ましい形態の撮像装置のように、上記検知部で撮像装置の姿勢の変動を検知して上記被写体像のブレを直接に抑制するほうが正確に抑制することができる。
【００１７】
また、本発明の第１の撮像装置において、「上記シャッタ秒時決定部が、上記所定の明るさよりも明るい明るさについては、上記第１のシャッタ秒時よりもＴＶ値で３以上短いシャッタ秒時を採用するものである」という形態は好ましい形態である。
【００１８】
この好ましい形態の撮像装置によれば、ブレに対する耐性が強い、短いシャッタ秒時による撮像が可能となる。
【００１９】
また、本発明の第１の撮像装置において、「この撮像装置は、複数の撮像モードを有するものであり、
上記複数の撮像モードのうち操作に応じた撮像モードをこの撮像装置に指定する撮像モード指定部を備え、
上記シャッタ秒時決定部が、被写体像の明るさとシャッタ秒時との対応関係を、上記複数の撮像モードそれぞれについて定義した複数のプログラム線図を有し、その複数のプログラム線図のうち、上記撮像モード指定部で指定された撮像モードに対応付けられたプログラム線図を使ってシャッタ秒時を決定するものであり、
上記切替部は、上記撮像モード指定部が、上記複数のプログラム線図のうち、所定範囲の明るさに対応付けられるシャッタ秒時が相対的に短いプログラム線図が対応付けられた撮像モードが指定された場合には、上記操作とは無関係に上記ブレ抑制部によるブレ抑制を許可するものである」という形態も好ましい形態である。
【００２０】
この好ましい形態の撮像装置によれば、各撮像モードに適したシャッタ秒時で撮像されると共に、所定範囲の明るさに対応付けられるシャッタ秒時が相対的に短いプログラム線図が使われる際には、上記ブレ抑制が自動的に許可されることで、ブレに対して、短いシャッタ秒時が優先的に採用されることによる耐性と、上記ブレ抑制による耐性との双方を得ることができる。
【００２１】
また、本発明の撮像装置において、「上記被写体像のブレが、被写体自体の動きに伴うブレを含むか否かを判定するブレ判定部を備え、
上記シャッタ秒時決定部が、被写体像の明るさとシャッタ秒時とこの撮像装置が上記画像信号を生成するときの感度との対応関係を定義した、所定範囲の明るさに対応付けられるシャッタ秒時および感度が互いに異なる複数のプログラム線図を有し、上記ブレ判定部で上記ブレが被写体自体の動きに伴うブレを含むと判定された場合には、その複数のプログラム線図のうち、上記所定範囲の明るさに対応付けられるシャッタ秒時が相対的に短いプログラム線図を使ってシャッタ秒時を決定し、そのブレ判定部でそのブレが被写体自体の動きに伴うブレを含まないと判定された場合には、その複数のプログラム線図のうち、その所定範囲の明るさに対応付けられる感度が相対的に低いプログラム線図を使ってシャッタ秒時を決定するものである」という形態も好ましい形態である。
【００２２】
例えば上記ブレ抑制部が撮像装置の姿勢の変動に伴うブレの抑制に主眼を置いたものであったとすると、被写体自体の動きに伴うブレについては対処が難しい。上記の好ましい形態の撮像装置によれば、このような場合であっても、ブレに対する耐性が強い相対的に短いシャッタ秒時が採用されるので画質の向上が図られる。さらに、このような被写体自体の動きに伴うブレがない場合には、ノイズに対する耐性が強い相対的に低い感度が採用されるのでこの点でも画質の向上が図られる。
【００２３】
また、本発明の撮像装置において、「上記被写体像を結像させる、焦点距離が変更自在な光学系と、
上記光学系の焦点距離を入手する焦点距離入手部とを備え、
上記シャッタ秒時決定部が、被写体像の明るさとシャッタ秒時とこの撮像装置が上記画像信号を生成するときの感度との対応関係を定義した、所定範囲の明るさに対応付けられるシャッタ秒時および感度が互いに異なる複数のプログラム線図を有し、上記焦点距離入手部で入手された焦点距離が所定長さ以上に長い場合には、その複数のプログラム線図のうち、上記所定範囲の明るさに対応付けられるシャッタ秒時が相対的に短いプログラム線図を使ってシャッタ秒時を決定し、その焦点距離がその所定長さよりも短い場合には、その複数のプログラム線図のうち、その所定範囲の明るさに対応付けられる感度が相対的に低いプログラム線図を使ってシャッタ秒時を決定するものである」という形態も好ましい。
【００２４】
この好ましい形態の撮像装置によれば、上記光学系の焦点距離を変更させて広角での撮像や望遠での撮像が可能となる。ここで、焦点距離が所定長さ以上に長い望遠で撮像を行う場合には、撮像装置の姿勢の変動が僅かであっても被写体像のブレは大きく抑制が困難となる。しかし、この好ましい形態の撮像装置によれば、このような場合であっても、ブレに対する耐性が強い相対的に短いシャッタ秒時が採用されるので画質の向上が図られる。さらに、焦点距離がその所定長さよりも短く被写体像のブレがそれほど大きくない場合には、ノイズに対する耐性が強い相対的に低い感度が採用されるのでこの点でも画質の向上が図られる。
【００２５】
また、上記目的を達成する本発明の第１の撮像方法は、被写体像を捉えてその被写体像を表わす画像信号を生成する撮像装置が実行する撮像方法において、
上記被写体像のブレを、少なくとも上記画像信号が表す画像中でのそのブレが減少するように抑制するブレ抑制過程と、
上記ブレ抑制過程によるブレ抑制の許可および禁止を操作に応じて切り替える切替過程と、
上記被写体像の明るさを検出する検出過程と、
上記被写体像を捉えるシャッタ秒時を上記検出過程で検出された明るさに基づいて決定する、所定の明るさ以下の明るさについては、その明るさが暗いほど長いシャッタ秒時に決定するシャッタ秒時決定過程と、
上記ブレ抑制過程によるブレ抑制が禁止されている場合には、上記検出過程で検出された明るさが、上記所定の明るさ以下の第１の明るさ基準よりも暗いときに閃光を発し、そのブレ抑制過程によるブレ抑制が許可されている場合には、上記第１の明るさ基準よりも暗い第２の明るさ基準よりもさらに暗いときに閃光を発する閃光発光過程とを備えたことを特徴とする。
【００２６】
また、上記目的を達成する本発明の第２の撮像方法は、被写体像を捉えてその被写体像を表わす画像信号を生成する、その画像信号を生成するときの感度が、所定の複数段階の感度のうちのいずれかに変更自在に設定される撮像装置が実行する撮像方法において、
上記被写体像のブレを、少なくとも上記画像信号が表す画像中でのそのブレが減少するように抑制するブレ抑制過程と、
上記ブレ抑制過程によるブレ抑制の許可および禁止を操作に応じて切り替える切替過程と、
上記被写体像の明るさを検出する検出過程と、
上記感度を、上記ブレ抑制部によるブレ抑制が許可されている場合には、上記ブレ抑制部によるブレ抑制が禁止されている場合よりも、所定範囲の明るさに対して相対的に低感度となり、かつ、上記検出部で検出された明るさが暗いほど高感度となるように上記複数段階の感度のうちのいずれかに設定する感度設定過程とを備えたことを特徴とする。
【００２７】
これらの本発明の撮像方法によれば、画質の低下を抑制して撮像することができる。
【００２８】
尚、本発明の撮像方法については、ここではその基本形態のみを示すに止めるが、これは単に重複を避けるためであり、本発明の第１および第２の撮像方法それぞれには、上記の基本形態のみではなく、前述した第１および第２の撮像装置それぞれの各形態に対応する各種の形態が含まれる。
【発明の効果】
【００２９】
以上、説明したように、本発明によれば、画質の低下を抑制して撮像することができる撮像装置と、そのような撮像を実行することができる撮像方法を得ることができる。
【発明を実施するための最良の形態】
【００３０】
以下図面を参照して本発明の第１から第５までの各実施形態を説明する。
【００３１】
図１は、本発明の第１から第５までの各実施形態である各デジタルカメラに共通の外観斜視図である。
【００３２】
図１に示すデジタルカメラの前面中央部には、ズームレンズを含む撮像レンズ１１を内部に備えたズーム鏡胴１２が備えられている。また、このデジタルカメラの前面上部には、撮像に同期してフラッシュを発するフラッシュ発光装置１３と、光学式ファインダ対物窓１４とが備えられている。また、このデジタルカメラの前面左側には、スライド式の電源スイッチ１５が備えられている。さらに、このデジタルカメラの上面には、レリーズボタン１６が備えられている。
【００３３】
以下、本発明の第１実施形態について説明する。
【００３４】
図２は、本発明の第１実施形態であるデジタルカメラの回路構成を示すブロック図である。
【００３５】
図２示すデジタルカメラ１には、前述した撮像レンズ１１を構成するズームレンズ２１およびフォーカスレンズ２２と、絞り径を多段階に調節可能なアイリス２３と、ズームレンズ２１とフォーカスレンズ２２を経由して結像された被写体像を受光してアナログ信号を生成するＣＣＤ撮像素子（以下、ＣＣＤと称する）２４と、このデジタルカメラ１の動きに応じた被写体像のブレ（以下、手ブレと称する）を、ＣＣＤ２４の前面に配置された後述の補正レンズを手ブレが打ち消されるように動かすことで抑制するブレ抑制機構２５が備えられている。ブレ抑制機構２５については、後で詳細に説明する。
【００３６】
また、このデジタルカメラ１には、ＣＣＤ２４での受光や画像信号の読出し等についての制御を行う読出回路２６が備えられている。この読出回路２６は、ＣＣＤ２４での受光タイミングや画像信号の読出しタイミング等を制御するタイミングジェネレータと、ＣＣＤ２４から読み出したアナログ信号をこのデジタルカメラ１の感度に応じて増幅する増幅回路と、その増幅済みのアナログ信号をデジタルの画像信号に変換するＡ／Ｄ変換回路とで構成されている。また、このデジタルカメラ１には、読出回路２６からのデジタルの画像信号をバスライン５０に伝達する画像入力コントローラ２７と、バスライン５０を介して入力されたデジタルの画像信号を輝度（Ｙ）と色（Ｃ）とで表わされるＹＣ信号に変換する画像信号処理回路２８とが備えられている。
【００３７】
さらに、このデジタルカメラ１には、バスライン５０を介して入力されたＹＣ信号を圧縮処理する圧縮処理回路２９と、バスライン５０を介して入力されたＹＣ信号をＮＴＳＣ（Ｎａｔｉｏｎａｌ  ＴＶ  Ｓｔａｎｄａｒｄｓ  Ｃｏｍｍｉｔｔｅｅ）信号に変換するビデオエンコーダ３０が備えられている。ビデオエンコーダ３０から出力されたＮＴＳＣ信号は、液晶ディスプレイ（以下、ＬＣＤと称する）３１に供給されてそのＬＣＤ３１に画像が表示される。
【００３８】
また、デジタルカメラ１には、このデジタルカメラ１の動きを角速度で検知する角速度センサ３２と、その検知結果に応じて上記のブレ抑制機構２５を制御するブレ抑制回路３３とが備えられている。
【００３９】
また、デジタルカメラ１には、このデジタルカメラ１全体の制御を行うＣＰＵ３４と、ズームレンズ２１を駆動するモータドライバ３５と、アイリス２３を駆動するモータドライバ３６と、フォーカスレンズ２２を駆動するモータドライバ３７と、図１にも示すレリーズボタン１６が備えられている。
【００４０】
さらに、このデジタルカメラ１には、各種時間を計測するためのタイマ３８、デジタルの画像信号に基づくコントラスト検知により合焦位置を検出するＡＦ検出回路３９、デジタルの画像信号に基づいて被写体像の明るさである露出量（以下、ＥＶ値と称する）やホワイトバランスを検出するＡＥ＆ＡＷＢ検出回路４０、そのＡＥ＆ＡＷＢ検出回路４０で検出されたＥＶ値に基づいて露出制御を行う露出制御回路４１、この露出制御回路４１での露出制御に使われる後述のプログラム線図やデジタルの画像信号が一時的に記憶される第１メモリ（ＳＤＲＡＭ）４２、各種制御プログラムやプログラム線図が格納されている第２メモリ（ＲＯＭ）４３、圧縮処理回路２９で圧縮された後の画像信号を可搬型記録媒体である記録メディア１００に記録するためのメディアコントローラ４４が備えられている。
【００４１】
さらに、このデジタルカメラ１には、レリーズボタン１６の押下に応じて撮像を行う撮像モードと記録メディア１００に記録されている撮像済みの画像を記録メディア１００から読み出してＬＣＤ３１に表示する再生モードとの切り替えや、ズームレンズ２１の繰出しの指示や、ブレ抑制機構２５によるブレ抑制の許可および禁止の指示等を行うための各種スイッチからなるスイッチ群４５、図１にも示す電源スイッチ１５、その電源スイッチ１５のオン／オフにより制御され各部に電力を供給する電源回路４６、その電源回路４６へ電力を供給する電力源としてのバッテリ４７、図１にも示すフラッシュ発光装置１３が備えられている。
【００４２】
ここで、ズームレンズ２１およびフォーカスレンズ２２からなる撮像レンズ１１は本発明にいう光学系の一例に相当する。また、角速度センタ３２は本発明にいう検知部の一例に相当し、ブレ抑制機構２５とブレ抑制回路３３とを合わせたものは本発明にいうブレ抑制部の一例に相当する。また、ブレ抑制回路３３は本発明にいう切替部の一例も兼ねている。また、ＡＥ＆ＡＷＢ検出回路４０は本発明にいう検出部の一例に相当する。また、露出制御回路４１と第１メモリ４２とを合わせたものは、本発明にいうシャッタ秒時決定部と感度設定部とを兼ねた一例に相当し、さらに、この露出制御回路４１とフラッシュ発光装置１３とを合わせたものが本発明にいう閃光発光部の一例に相当する。
【００４３】
次に、このデジタルカメラ１の一般的な撮像シーケンスを説明する。
【００４４】
まず、電源がオンされると、図１に示すズーム鏡胴１２が繰出されるとともにＬＣＤ３１がオンとなり、その後、そのＬＣＤ３１上に、表示用の動画であるスルー画像が表示される。その後、レリーズボタン１６が半押しされると、その時点での被写体像をＣＣＤ２４がデフォルトの撮像条件で捉えて画像信号が生成され、ＬＣＤ３１上の表示が、その画像信号が表す画像に固定される。そして、その画像信号に基づいて、被写体像の明るさである露出量（ＥＶ値）が検出され、その検出されたＥＶ値に基づいて、実際の撮像の際にＣＣＤ２４が被写体像を捉えるシャッタ秒時や、アイリス２３の絞り径を表す絞り値や、このデジタルカメラ１の感度や、実際の撮像の際にフラッシュを発光することの可否等が決定される。さらに、フォーカスレンズ２２を実際に動かして合焦位置の検出が行われる。それらの処理が終了すると再びスルー画像がＬＣＤ３１上に表示される。その状態で今度はレリーズボタン１６が全押しされると、半押し時に決定されたシャッタ秒時、絞り値、感度、およびフラッシュ発光の可否の下での撮像が、検出された合焦位置で実行されその撮像による画像信号が生成される。この撮像が終了すると、撮像条件等の設定がデフォルトの状態に戻され、再びスルー画像の表示が行われて、次の撮像のためのレリーズボタン１６の押下が可能となる。
【００４５】
ところで、この図２に示すデジタルカメラ１では、ユーザがスイッチ群４５を操作してブレ抑制を許可した場合にブレ抑制機構２５によって手ブレが抑制されるが、そのとき、上記の半押し時に、そのブレ抑制が許可されているか禁止されているかに応じて、フラッシュ発光の可否判断の判断基準が変わるという特徴を有している。以下、この特徴に注目して説明を続ける。
【００４６】
図３は、図２に示すデジタルカメラ１でレリーズボタン１６の半押し後に実行される処理を、ブレ抑制とフラッシュ発光の可否判断に注目して表すフローチャートである。
【００４７】
この図３に示すフローチャートが示す処理は、本発明の撮像方法の一実施形態に相当する。
【００４８】
このフローチャートが示す処理は、ユーザによってレリーズボタン１６が半押しされるとスタートし、処理がスタートすると、まず、上述したようにＥＶ値の検出が行われる（ステップＳ１０１）。次いで、ブレ抑制が許可されているか禁止されているかが判定される（ステップＳ１０２）。ブレ抑制が禁止されている場合（ステップＳ１０２におけるＮｏ判定）には、そのまま次のステップＳ１０３に進み、ブレ抑制が許可されている場合（ステップＳ１０２におけるＹｅｓ判定）には、ブレ抑制がスタートされて（ステップＳ１０４）次のステップＳ１０５に進む。
【００４９】
ここで、上記のステップＳ１０２の処理が、本発明にいう切替過程の一例に相当する。
【００５０】
ここで、ステップＳ１０４でスタートされるブレ抑制は、この図３に示すフローチャートが示す撮像処理と並行して実行される。
【００５１】
以下、このブレ抑制という処理の詳細について説明するが、その前に、デジタルカメラ１においてこのブレ抑制の実行を担っている図２に示したブレ抑制機構２５、角速度センサ３２、およびブレ抑制回路３３の詳細について説明する。
【００５２】
図４は、図２に示したブレ抑制機構２５、角速度センサ３２、およびブレ抑制回路３３の詳細を示す図である。
【００５３】
ブレ抑制機構２５は、補正レンズ２５ａ、Ｘ軸アクチュエータ２５ｂ、Ｙ軸アクチュエータ２５ｃ、Ｘ軸位置センサ２５ｄ、およびＹ軸位置センサ２５ｅを備えている。ブレ抑制機構２５は、図２に示すデジタルカメラ１の姿勢の変動によるＣＣＤ上での被写体像のブレを打ち消すように、補正レンズ２５ａを図中のＸ軸方向およびＹ軸方向に移動させることで、手ブレを抑制するものである。各アクチュエータ２５ｂ，２５ｃは、各々対応する軸方向に補正レンズ２５ａを動かし、各位置センサ２５ｄ，２５ｅは各々対応する軸方向での補正レンズ２５ａの位置に応じた電圧を出力する。各アクチュエータ２５ｂ，２５ｃはブレ抑制回路３３によって駆動され、各位置センサ２５ｄ，２５ｅの出力電圧はブレ抑制回路３３に送られる。
【００５４】
角速度センサ３２は、図２に示すデジタルカメラ１におけるヨー方向の角速度に応じた電圧を出力するヨー方向センサ３２ａと、デジタルカメラ１におけるピッチ方向の角速度に応じた電圧を出力するピッチ方向センサ３２ｂとを備えている。これらのセンサ３２ａ，３２ｂの出力電圧はブレ抑制回路３３に送られる。
【００５５】
ブレ抑制回路３３は、ユーザが図２に示すスイッチ群４５を操作してブレ抑制を許可した場合に、角速度センサ３２の各センサ３２ａ，３２ｂから送られた出力電圧に応じて、ブレ抑制機構２５の各アクチュエータ２５ｂ，２５ｃの駆動電圧を算出してブレ抑制機構２５に指示するものである。ブレ抑制回路３３は、角速度センサ３２の各センサ３２ａ，３２ｂの出力電圧に基づいてヨー方向の角速度とピッチ方向の角速度とを求める角速度検出回路３３ａと、ブレ抑制機構２５の各位置センサ２５ｄ，２５ｅの出力電圧に基づいて補正レンズ２５ａの位置を求める位置検出回路３３ｂと、それらの角速度と位置とに基づいて各アクチュエータ２５ｂ，２５ｃの駆動電圧を算出する手ブレ補正制御回路３３ｃと、その算出された駆動電圧で各アクチュエータ２５ｂ，２５ｃを駆動するドライブ回路３３ｄとを備えている。
【００５６】
次に、ブレ抑制について説明する。
【００５７】
図５は、ブレ抑制を表わすフローチャートである。
【００５８】
このフローチャートが示す処理は、図３に示すフローチャートにおけるステップ１０２の処理で、ブレ抑制が許可されていると判定された場合にスタートするものであり、本発明にいうブレ抑制過程の一例に相当する。
【００５９】
この処理がスタートすると、まず、ブレ抑制機構２５の補正レンズ２５ａを所定の中心位置に移動させるように各アクチュエータ２５ｂ，２５ｃが駆動される（ステップＳ１５１）。次いで、角速度センサ３２の出力電圧に基づいて所定のサンプリング周波数で所定回数だけヨー方向とピッチ方向それぞれの角速度が求められ、さらに平均化されて平均角速度が求められる（ステップＳ１５２）、そのような平均角速度の算出が所定時間に亘って繰り返し行われ、その所定時間内に算出された平均角速度が積算されることでデジタルカメラ１のヨー方向とピッチ方向それぞれの変位角が算出される（ステップＳ１５３）。本実施形態では、このデジタルカメラ１が不動状態にあるときの角速度センサ３２の出力電圧に基づくオフセット値が用意されており、ステップＳ１５３で算出された変位角からこのオフセット値が差し引かれて、このデジタルカメラ１のヨー方向とピッチ方向それぞれのブレ角が算出される（ステップＳ１５４）。さらに、本実施形態では、ヨー方向とピッチ方向それぞれのブレ角と、そのブレ角による被写体像のブレを打ち消すように補正レンズ２５ａをＸ軸方向およびＹ軸方向に移動させるのに必要な各アクチュエータ２５ｂ，２５ｃの駆動電圧との関係が関数として用意されており、ステップＳ１５３で算出されたブレ角がこの関数に代入されて各アクチュエータ２５ｂ，２５ｃに対する駆動電圧が算出される（ステップＳ１５５）。そして、この算出された駆動電圧で各アクチュエータ２５ｂ，２５ｃが駆動される（ステップＳ１５６）。本実施形態では以上に説明したステップＳ１５２からステップＳ１５６までの処理が、図３に示す撮像処理が終了するまで、その撮像処理と並行して繰り返される。
【００６０】
次に、図３に戻って、この図３のフローチャートが示す処理の説明を続ける。
【００６１】
このデジタルカメラ１では、レリーズボタン１６が全押しされて撮像が実行されるときにフラッシュ発光装置１３にフラッシュを発光させるか否かの判断は、ステップＳ１０１の処理で算出されたＥＶ値と、判断基準であるフラッシュ用閾値との比較によって行われる。ここで、このデジタルカメラ１では、このフラッシュ用閾値が、上記のブレ抑制が禁止されているか許可されているかによって異なる。
【００６２】
ブレ抑制が禁止されておりステップＳ１０４のブレ抑制のスタートを経ずに実行されるステップＳ１０３の処理ではこのフラッシュ用閾値が後述の第１の閾値「Ａ１」に設定され、ブレ抑制が許可されておりブレ抑制のスタートを経て実行されるステップＳ１０５の処理ではこのフラッシュ用閾値が後述の第２の閾値「Ａ２」に設定される。
【００６３】
以下、これら２つの閾値について、フラッシュ非発光時における撮像の際の絞り値、感度、およびシャッタ秒時の決定処理に使われる、ＥＶ値、絞り値、感度、およびシャッタ秒時における相互間の対応関係を定義したプログラム線図を参照して説明する。
【００６４】
図６は、フラッシュ非発光時の撮像に対応したプログラム線図を示す図である。
【００６５】
この図６に示すプログラム線図Ｐ１では、上下左右の枠に目盛がとられている。まず、下枠には、シャッタ秒時についての目盛がＴＶ値で「２」から「１２」までの範囲でとられており、プログラム線図Ｐ１中の縦の細線が各ＴＶ値に対応している。このＴＶ値は値が大きい程シャッタ秒時が短い。
【００６６】
また、右枠には、絞り値と感度についての目盛がとられており、プログラム線図Ｐ１中の横の細線が各絞り値および各感度に対応している。ここで、この右枠の上側には感度を標準感度「ＩＳＯ２００」に固定した状態での絞り値の目盛が「Ｆ１１」から「Ｆ２．８」までの範囲でとられ、下側には絞り値を「Ｆ２．８」に固定した状態での感度の目盛が「ＩＳＯ４００」から「ＩＳＯ１６００」までの範囲でとられている。絞り値は、値が小さいほどアイリス２３が開いており、「Ｆ１１」はアイリス２３が最も閉じた状態に対応し、「Ｆ２．８」はアイリス２３が限界まで開いた状態に対応している。また、この絞り値は段階的に設定され、この右枠には、８段階の絞り値が記されている。また、感度は、値が大きい程感度が高いことを意味し、上述したように「ＩＳＯ２００」が標準感度に対応し、「ＩＳＯ１６００」が感度の上限に対応している。また、この感度も段階的に設定され、この右枠では、４段階の感度が記されている。
【００６７】
さらに、このプログラム線図Ｐ１の左枠から上枠にかけては、ＥＶ値が「１」から「１９」までの範囲でとられており、右下がりの斜め細線が各ＥＶ値に対応している。このＥＶ値は、値が大きい程被写体像が明るいことを意味している。
【００６８】
そして、このプログラム線図Ｐ１には、これら、絞り値、感度、シャッタ秒時における相互間の対応関係を示す７本のラインＬ１，…，Ｌ７が記載されている。例えば、最上段のラインＬ１では、「１５」から「１８」までのＥＶ値が、「Ｆ８」の絞り値、「ＩＳＯ２００」の感度、ＴＶ値で「９」から「１２」までのシャッタ秒時に対応付けられている。また、各ラインによると、ＥＶ値は、そのＥＶ値が小さい程、即ち、被写体像が暗い程、長いシャッタ秒時に対応付けられる。尚、このプログラム線図Ｐ１では、アイリス２３が最も閉じた状態に対応する「Ｆ１１」は撮像時には採用されないようになっている。
【００６９】
ここで、本実施形態のデジタルカメラ１は、上述したブレ抑制が禁止されている場合には、図中の第１のシャッタ秒時「Ｓ１」よりも長い、即ちＴＶ値では小さいシャッタ秒時では、被写体像のブレに対する耐性が所定以上に低下してしまう。そこで、ブレ抑制が禁止されている場合には、シャッタ秒時がこの第１のシャッタ秒時「Ｓ１」を下回ることがないように、最下段のラインＬ７によって第１のシャッタ秒時「Ｓ１」に対応付けられるＥＶ値「Ａ１」よりも被写体像のＥＶ値が小さいときには、フラッシュ発光装置１３がフラッシュを発光し、被写体像の明るさを増加させてＥＶ値を「Ａ１」以上に上昇させるようになっている。このＥＶ値「Ａ１」が、図３のフローチャートのステップＳ１０３においてフラッシュ用閾値に設定される第１の閾値「Ａ１」である。この第１の閾値「Ａ１」が、本発明にいう第１の明るさ基準の一例に相当する。
【００７０】
一方、ブレ抑制が許可されている場合には、ブレ抑制の効果が見込めるので、第１のシャッタ秒時「Ｓ１」よりも長いシャッタ秒時でもブレに対する耐性が強い撮像を行うことができる。しかし、この場合でも、図中の第２のシャッタ秒時「Ｓ２」よりも長いシャッタ秒時ではブレに対する耐性が所定以上に低下してしまうので、ラインＬ７によって第２のシャッタ秒時「Ｓ２」に対応付けられているＥＶ値「Ａ２」よりも被写体像のＥＶ値が小さいときには、フラッシュ発光装置１３がフラッシュを発光するようになっている。このＥＶ値「Ａ２」が、図３のフローチャートのステップＳ１０５においてフラッシュ用閾値に設定される第２の閾値「Ａ２」である。この第２の閾値「Ａ２」が、本発明にいう第２の明るさ基準の一例に相当する。
【００７１】
図３のフローチャートにおけるステップＳ１０３およびステップＳ１０５においてこのようにフラッシュ用閾値が設定されると、ステップＳ１０１の処理で算出されたＥＶ値とこの設定されたフラッシュ用閾値とが比較される（ステップＳ１０６）。そして、ＥＶ値がフラッシュ用閾値以上であった場合（ステップＳ１０６におけるＹｅｓ判定）には、後述のフラッシュ非発光用露出制御処理（ステップＳ１１０）が実行され、そのＥＶ値に基づいて、絞り値、感度、およびシャッタ秒時がそれぞれ決定される。
【００７２】
一方、ＥＶ値がフラッシュ用閾値未満であった場合（ステップＳ１０６におけるＮｏ判定）には、撮像時のフラッシュ発光を指示するフラグが立てられ、フラッシュ発光用露出制御処理（ステップＳ１５０）が実行されて、絞り値、感度、およびシャッタ秒時がそれぞれ決定される。
【００７３】
これらステップＳ１１０およびステップＳ１５０は、各々が本発明にいうシャッタ秒時決定過程の一例に相当する。
【００７４】
ここで、ステップＳ１１０の処理とステップＳ１５０の処理とは、ともにプログラム線図を使って行われるが、これら２つの処理は、用いるプログラム線図が異なるだけでほぼ同等であるので、以下では、図６のプログラム線図を使って実行されるフラッシュ非発光用露出制御処理（ステップＳ１１０）を代表として詳細に説明し、フラッシュ発光用露出制御処理（ステップＳ１５０）の詳細については説明を省略する。
【００７５】
図７は、図３に示すフラッシュ非発光用露出制御処理（ステップＳ１１０）の詳細を示すフローチャートである。
【００７６】
尚、以下の説明では、図６に示すプログラム線図Ｐ１を参照する。
【００７７】
このフラッシュ非発光用露出制御処理がスタートすると、露出制御回路４１によって第１メモリ４２からプログラム線図Ｐ１が読み出される（ステップＳ１１１）。そして、そのプログラム線図Ｐ１のラインＬ４の左端に相当するＥＶ値、即ち、標準感度「ＩＳＯ２００」のまま絞り値を変えて撮像することができる最も小さなＥＶ値である絞り用閾値「Ｂ１」を、被写体像のＥＶ値が下回っているか否かが判定される（ステップＳ１１２）。被写体像のＥＶ値が絞り用閾値「Ｂ１」を下回っている場合（ステップＳ１１２におけるＹｅｓ判定）には、撮像時の絞り値を上限の絞り値「Ｆ２．８」に決定する（ステップＳ１１３）。
【００７８】
そのステップＳ１１３の処理の次に、プログラム線図Ｐ１の参照に使う参照感度を標準感度「ＩＳＯ２００」から１段上げた「ＩＳＯ４００」に設定する（ステップＳ１１４）。そして、プログラム線図Ｐ１のラインＬ５の左端に相当するＥＶ値、即ち、「ＩＳＯ４００」の感度で撮像することができる最も小さなＥＶ値、さらに言い替えると、「ＩＳＯ４００」の感度でシャッタ秒時を設定することができる最も小さなＥＶ値であるシャッタ用閾値「Ｂ２」を、被写体像のＥＶ値が下回っているか否かが判定される（ステップＳ１１５）。被写体像のＥＶ値が「ＩＳＯ４００」に対応したシャッタ用閾値「Ｂ２」を下回っている場合（ステップＳ１１５におけるＹｅｓ判定）には、まず、参照感度が、上限の感度「ＩＳＯ１６００」に達しているか否かが判定され（ステップＳ１１６）、上限の感度「ＩＳＯ１６００」に達していない場合（ステップＳ１１６におけるＮｏ判定）には、参照感度を１段上げて（ステップＳ１１７）、ステップＳ１１５の判定を繰り返す。ステップＳ１１５からステップＳ１１７までの処理を、参照感度が上限の感度「ＩＳＯ１６００」に達するまで続けた場合（ステップＳ１１６におけるＹｅｓ判定）には、撮像時の感度を上限の感度「ＩＳＯ１６００」に決定する（ステップＳ１１８）。
【００７９】
また、ステップＳ１１５からステップＳ１１７までの処理が、参照感度が上限の感度「ＩＳＯ１６００」に達する前の感度で止まった場合（ステップＳ１１５におけるＮｏ判定）には、その止まった時点での参照感度を撮像時の感度に決定する（ステップＳ１１９）。
【００８０】
また、そもそもステップＳ１１２の際に、被写体像のＥＶ値が上記の絞り用閾値「Ｂ１」以上であった場合（ステップＳ１１２におけるＮｏ判定）には、標準感度「ＩＳＯ２００」が撮像時の感度に決定され（ステップＳ１２０）、プログラム線図Ｐ１におけるラインＬ１からラインＬ４を参照して撮像時の絞り値が決定される（ステップＳ１２１）。このステップＳ１２１では、ステップＳ１１５からステップＳ１１９までの処理で、プログラム線図Ｐ１におけるラインＬ５からラインＬ７を参照した撮像時の感度の決定処理と同様の処理を、絞り値について実行することにより撮像時の絞り値が決定される。
【００８１】
このようにして、撮像時の絞り値および感度が決定されると、次に、撮像時のシャッタ秒時が決定される。
【００８２】
まず、撮像時の絞り値および感度がステップＳ１１８を経るフローで決定された場合には、プログラム線図Ｐ１において、上限の感度「ＩＳＯ１６００」に対応するラインＬ７を参照し、そのラインＬ７上で、被写体像のＥＶ値に対応するシャッタ秒時を撮像時のシャッタ秒時に決定する（ステップＳ１２２）。
【００８３】
また、撮像時の絞り値および感度がステップＳ１１９を経るフローで決定された場合には、プログラム線図Ｐ１におけるラインＬ５とラインＬ６のうちステップＳ１１９で決定された感度に対応するラインを参照し、そのライン上で、被写体像のＥＶ値に対応するシャッタ秒時を撮像時のシャッタ秒時に決定する（ステップＳ１２３）。
【００８４】
さらに、撮像時の絞り値および感度がステップＳ１２１を経るフローで決定された場合には、プログラム線図Ｐ１におけるラインＬ１からラインＬ４までのうちステップＳ１２１で決定された絞り値に対応するラインを参照し、そのライン上で、被写体像のＥＶ値に対応するシャッタ秒時を撮像時のシャッタ秒時に決定する（ステップＳ１２４）。
【００８５】
ここで、ステップＳ１２３もしくはステップＳ１２４で決定されるシャッタ秒時は、上述のブレ抑制が禁止されている場合における限界のシャッタ秒時である第１のシャッタ秒時「Ｓ１」よりも、ＴＶ値で必ず「３」以上短く、ブレに対する耐性が特に強いシャッタ秒時となっている。
【００８６】
一方、ステップＳ１２２で決定されるシャッタ秒時は、被写体像のＥＶ値によっては、ステップＳ１２３もしくはステップＳ１２４で決定されるシャッタ秒時よりは長い通常のシャッタ秒時となっている。
【００８７】
図６には、被写体像のＥＶ値が「９」である場合が例として挙げられている。この例の場合には、絞り値、感度、およびシャッタ秒時は上記のステップＳ１２２を経るフローによって決定される。即ち、まずステップＳ１１３で絞り値が上限の絞り値「Ｆ２．８」に決定され、ステップＳ１１８で感度が上限の感度「ＩＳＯ１６００」に決定され、ステップＳ１２２でシャッタ秒時がＴＶ値で「９」に決定される。
【００８８】
以上、説明したように撮像時の絞り値、感度、およびシャッタ秒時が全て決定されると、処理が図３のフローチャートに戻り、ユーザによるレリーズボタン１６の全押しを受けて、レリーズボタン１６の半押し時に決定された絞り値、感度、およびシャッタ秒時による撮像が実行される（ステップＳ１０７）。また、この撮像の際には、ステップＳ１０６におけるＹｅｓ判定によってフラッシュ発光を指示するフラグが立てられている場合には撮像に同期してフラッシュが発光される。このフラッシュの発光はフラグを参照することで、ブレ抑制が禁止されているときには、図６に示す第１の閾値「Ａ１」を被写体像のＥＶ値が下回った場合に行われ、ブレ抑制が許可されているときには、被写体像のＥＶ値がその第１の閾値「Ａ１」よりも低い第２の閾値「Ａ２」をさらに下回ったときに行われる。このステップＳ１０７は、本発明にいう閃光発光過程の一例に相当する。
【００８９】
そして、ステップＳ１０７の撮像が終了すると、この図３のフローチャートが表す処理が終了する。
【００９０】
以上に説明した本発明の第１実施形態であるデジタルカメラ１によると、フラッシュを発することなくブレに対する強い耐性を維持して撮像することができる明るさの範囲、即ち、被写体像をその明るさのままで自然さを保ったまま撮像できる明るさの範囲を、上記のブレ抑制を許可することで暗い側に拡張することができる。これにより、画質低下を抑制して撮像することができる。一方で、例えば、上記閃光によって被写体像の自然さが多少損なわることは許容して電力消費をなるべく抑えて撮像したい場合等には、ブレ抑制を禁止してその分だけ消費電力を節約しつつ、その代わり、上記の明るさの範囲を明るい側に縮小することで、ブレ抑制の禁止によって得られなくなった効果分だけブレに対する耐性が強化される。
【００９１】
次に、本発明の第２実施形態について説明する。
【００９２】
図８は、本発明の第２実施形態であるデジタルカメラの回路構成を示すブロック図である。
【００９３】
この図８に示すデジタルカメラ２は、人物撮像モードや、夜景撮像モード等といった複数の撮像モードでの撮像が可能であるという点が、図２に示した第１実施形態のデジタルカメラ１とは異なる。そこで、以下では、この第１実施形態との相違点に注目した説明を行い、重複説明については省略する。また、図８では、図２に示す構成要素と同等な構成要素については図２と同じ符号が付されている。
【００９４】
図８に示すデジタルカメラ２には、ユーザによって操作され、上記の複数の撮像モードのうち、そのユーザの操作に応じた撮像モードをＣＰＵ３４に指定するモードダイヤル５１が備えられている。このモードダイヤル５１は、本発明にいう撮像モード指定部の一例に相当する。また、本実施形態では、第２メモリ４３に、各々が撮像モードに対応する複数のプログラム線図が格納されており、このデジタルカメラ２の動作時にはこれら複数のプログラム線図が一時的に第１メモリ４２に記憶される。そして、本実施形態における露出制御回路５２は、これら複数のプログラム線図を、モードダイヤル５１がＣＰＵ３４に指定した撮像モードに応じて使い分ける。
【００９５】
図９は、複数のプログラム線図を撮像モードに応じて使い分けるという処理を模式的に示す図である。
【００９６】
この図９に示すように、このデジタルカメラ２では、第２メモリ４３に、各撮像モードに応じた複数のプログラム線図が格納されており、このデジタルカメラ２の動作時には、これら複数のプログラム線図が第１メモリ４２に一時的に記憶される。露出制御回路５２は、モードダイヤル５１による指定に応じて第２メモリ４３から読み出すプログラム線図を切り替える概念上の切替スイッチ５２ａを有しており、モードダイヤル５１による指定に応じたプログラム線図を第２メモリ４３から取り寄せ、その取り寄せたプログラム線図を使って上述したような絞り値、感度、およびシャッタ秒時の決定を行う。
【００９７】
ここで、本実施形態では、複数の撮像モードに、上記の図６に示すプログラム線図Ｐ１に則って、他の撮像モードにおけるシャッタ秒時よりも短いシャッタ秒時で撮像するという高速撮像モードを有しており、第２メモリ４３には、図６に示すプログラム線図Ｐ１が格納されている。ここで、これ以降、この図６に示すプログラム線図Ｐ１を高速用プログラム線図Ｐ１と称する。
【００９８】
また、ブレ抑制回路３３は、ユーザによるブレ抑制の許可操作を受けてオン状態となり、このブレ抑制回路３３内の各要素（図４参照）の動作を許可する許可スイッチ３３１を有している。本実施形態では、高速撮像モードが指定され露出制御回路５２の切替スイッチ５２ａによって高速用プログラム線図Ｐ１が選択された場合には、露出制御回路５２は、ブレ抑制回路３３に、許可スイッチ３３１をオン状態にするように指示する指示信号が送られる。この場合には、ユーザの操作を待たずにブレ抑制が自動的に許可される。
【００９９】
以上に説明した本発明の第２実施形態のデジタルカメラ２によると、高速撮像モードが指定された場合には、ブレに対して、高速用プログラム線図Ｐ１による耐性と、上記ブレ抑制による耐性との双方を得ることができる。
【０１００】
次に、本発明の第３実施形態について説明する。
【０１０１】
この第３実施形態では、デジタルカメラの回路構成については、図２に示す第１実施形態のデジタルカメラ１の回路構成とほぼ同じなので図示を省略する。ただし、この第３実施形態は、露出制御回路が、後述する２種類のプログラム線図をブレ抑制の許可／禁止に応じて使い分けるという点が第１実施形態とは異なる。以下、この第１実施形態との相違点に注目した説明を行う。
【０１０２】
図１０は、２種類のプログラム線図をブレ抑制の許可／禁止に応じて使い分けるという処理を模式的に示す図である。
【０１０３】
本実施形態では、第２メモリ４３に、後述の通常用プログラム線図Ｐ２と画質優先用プログラム線図Ｐ３が格納されており、このデジタルカメラ２の動作時には、これら２種類のプログラム線図が第１メモリ４２に一時的に記憶される。本実施形態における露出制御回路５３は、ブレ抑制の許可／禁止に応じて第２メモリ４３から読み出すプログラム線図を切り替える概念上の切替スイッチ５３ａを有しており、ブレ抑制が禁止されているときには通常用プログラム線図Ｐ２を取り寄せ、ブレ抑制が許可されているときには画質優先用プログラム線図Ｐ３を取り寄せて、その取り寄せたプログラム線図を使って上述したような絞り値、感度、およびシャッタ秒時の決定を行う。
【０１０４】
図１１は、通常用プログラム線図Ｐ２を示す図であり、図１２は、画質優先用プログラム線図Ｐ３を示す図である。
【０１０５】
これら２種類のプログラム線図の間では、ＥＶ値、絞り値、およびシャッタ秒時を対応付けるラインのうち、「Ｆ２．８」より大きい絞り値に対応するラインＭ１，…，Ｍ３が共通となっている。これらのラインは、プログラム線図上で、絞り値が下がるにつれシャッタ秒時の長い側にずれるように配置されている。
【０１０６】
そして、これら２種類のプログラム線図の間では、絞り値が「Ｆ２．８」となる４本のラインが互いに異なっている。
【０１０７】
通常用プログラム線図Ｐ２では、これら４本のラインラインＭ４，…，Ｍ７の左端が、ブレ抑制が禁止されているときにブレに対する耐性が所定以上に低下する限界のシャッタ秒時である第１のシャッタ秒時「Ｓ１」に一致している。一方、画質優先用プログラム線図Ｐ３では、これらのラインＮ１，…，Ｎ４の左端が、ブレ抑制が許可されているときの限界のシャッタ秒時である第２のシャッタ秒時「Ｓ２」まで延びている。これにより、絞り値が「Ｆ２．８」となるようなＥＶ値において、各感度それぞれでブレに対する耐性が強い撮像が可能なＥＶ値の範囲は、通常用プログラム線図Ｐ２よりも画質優先用プログラム線図Ｐ３の方が、上記のシャッタ秒時の差の分だけＥＶ値の低い側に広くなっている。これにより、通常用プログラム線図Ｐ２において絞り値が「Ｆ２．８」のとき標準感度「ＩＳＯ２００」で撮像可能なＥＶ値「Ｂ３」よりも小さいＥＶ値については、画質優先用プログラム線図Ｐ３では通常用プログラム線図Ｐ２よりも低感度での撮像となる。例えば、図１１から分かるように、通常用プログラム線図Ｐ２によれば、ＥＶ値「８」は「ＩＳＯ４００」の感度に対応している。これに対し、画質優先用プログラム線図Ｐ３では、このＥＶ値「８」が「ＩＳＯ４００」よりも１段だけ低感度の「ＩＳＯ２００」の感度に対応している。
【０１０８】
ここで、撮像時の感度が高いと、それだけ暗い被写体像を撮像することができる反面、撮像で得られる画像信号のノイズが増えてその画像信号が表す画像の画質が低下する可能性が高まる。上記の画質優先用プログラム線図Ｐ３によれば、上記の「Ｂ３」のＥＶ値よりも小さなＥＶ値について、通常用プログラム線図Ｐ２よりも低感度での撮像となるので、感度を上げて撮像しなければならないようなＥＶ値に対して、なるべく感度の上昇を抑えたノイズに対する耐性が強い撮像を行うことができる。ただし、画質優先用プログラム線図Ｐ３に則った撮像は、このようなＥＶ値に対しては、ブレ抑制が禁止されているときの限界のシャッタ秒時である第１のシャッタ秒時「Ｓ１」よりも長いシャッタ秒時での撮像となるため、ブレ抑制の許可が必要となる。
【０１０９】
図１３は、２種類のプログラム線図を使い分けて行う第３実施形態のデジタルカメラにおいて、レリーズボタンの半押し後に実行される処理を、ブレ抑制とフラッシュ発光の可否判断に注目して表すフローチャートである。この図１３に示すフローチャートが示す処理も、本発明の撮像方法の一実施形態に相当する。
【０１１０】
レリーズボタンが半押しされ、このフローチャートが示す処理がスタートすると、まず、被写体像のＥＶ値の検出が行われる（ステップＳ２０１）。次いで、ブレ抑制が許可されているか禁止されているかが判定される（ステップＳ２０２）。
【０１１１】
ブレ抑制が禁止されている場合（ステップＳ２０２におけるＮｏ判定）には、まず、図１１に示す通常用プログラム線図Ｐ２の読み出しを指示するフラグが立てられ（ステップＳ２０３）、フラッシュ用閾値が上述の第１実施形態の場合と同様の第１の閾値「Ａ１」に設定され（ステップＳ２０４）、標準感度「ＩＳＯ２００」のまま絞り値を変えて撮像することができる最も小さなＥＶ値である絞り用閾値が、通常用プログラム線図Ｐ２におけるそのようなＥＶ値である「Ｂ３」に設定され（ステップＳ２０５）、ブレに対する耐性が強い撮像が可能な限界のシャッタ秒時であるシャッタ限界が、通常用プログラム線図Ｐ２における限界のシャッタ秒時である「Ｓ１」に設定される（ステップＳ２０６）。
【０１１２】
一方、ブレ抑制が許可されている場合（ステップＳ２０２におけるＹｅｓ判定）には、まず、ブレ抑制がスタートされて（ステップＳ２０７）、図１２に示す画質優先用プログラム線図Ｐ３の読み出しを指示するフラグが立てられ（ステップＳ２０８）、フラッシュ用閾値が上述の第１実施形態の場合と同様の第２の閾値「Ａ２」に設定され（ステップＳ２０９）、絞り用閾値が、画質優先用プログラム線図Ｐ３において標準感度「ＩＳＯ２００」のまま絞り値を変えて撮像することができる最も小さなＥＶ値である「Ｂ４」に設定され（ステップＳ２１０）、シャッタ限界が、画質優先用プログラム線図Ｐ３における限界のシャッタ秒時である「Ｓ２」に設定される（ステップＳ２１１）。
【０１１３】
次に、ステップＳ２０１の処理で算出されたＥＶ値と上記のフラッシュ用閾値とが比較される（ステップＳ２１２）。そして、ＥＶ値がフラッシュ用閾値以上であった場合（ステップＳ２１２におけるＹｅｓ判定）には、後述のフラッシュ非発光用露出制御処理（ステップＳ２２０）が実行され、そのＥＶ値に基づいて、絞り値、感度、およびシャッタ秒時がそれぞれ決定される。
【０１１４】
一方、ＥＶ値がフラッシュ用閾値未満であった場合（ステップＳ２１２におけるＮｏ判定）には、撮像時のフラッシュ発光を指示するフラグが立てられ、フラッシュ発光用露出制御処理（ステップＳ２５０）が実行されて、絞り値、感度、およびシャッタ秒時がそれぞれ決定される。ここで、フラッシュ発光用露出制御処理（ステップＳ２５０）については、図３に示すフラッシュ発光用露出制御処理（ステップＳ１５０）と同等な処理であるので説明を省略する。
【０１１５】
図１４は、図１３に示すフラッシュ非発光用露出制御処理（ステップＳ２２０）の詳細を示すフローチャートである。
【０１１６】
尚、以下の説明では、図１１に示す通常用プログラム線図Ｐ２と、図１２に示す画質優先用プログラム線図Ｐ３とを参照する。
【０１１７】
このフラッシュ非発光用露出制御処理がスタートすると、まず、露出制御回路５３によって第１メモリ４２から上記のフラグに対応したプログラム線図が読み出される（ステップＳ２２１）。
【０１１８】
次に、図１３のステップＳ２０９あるいはステップＳ２０４で設定された絞り用閾値を、被写体像のＥＶ値が下回っているか否かが判定される（ステップＳ２２２）。被写体像のＥＶ値が絞り用閾値を下回っている場合（ステップＳ２２２におけるＹｅｓ判定）には、撮像時の絞り値を上限の絞り値「Ｆ２．８」に決定し（ステップＳ２２３）、プログラム線図の参照に使う参照感度を「ＩＳＯ４００」に設定する（ステップＳ２２４）。そして、ステップＳ２２１で読み出したプログラム線図において、参照感度に対応したライン上、又は、そのラインの延長線上において被写体像のＥＶ値に対応するシャッタ秒時を、仮のシャッタ秒時として決定する（ステップＳ２２５）。さらに、その仮のシャッタ秒時が、ＴＶ値で、図１３のステップＳ２０９あるいはステップＳ２０４で設定されたシャッタ限界以上であるか否か、即ち、仮のシャッタ秒時がシャッタ限界以下の長さであるか否かが判定される（ステップＳ２２６）。仮のシャッタ秒時がシャッタ限界よりも長い場合（ステップＳ２２６におけるＮｏ判定）には、まず、参照感度が、上限の感度「ＩＳＯ１６００」に達しているか否かが判定され（ステップＳ２２７）、上限の感度「ＩＳＯ１６００」に達していなかった場合（ステップＳ２２７におけるＮｏ判定）には、参照感度を１段上げて（ステップＳ２２８）、その上げた感度に基づいてステップＳ２２５による仮のシャッタ秒時の設定とステップＳ２２６の判定とを繰り返す。ステップＳ２２５からステップＳ２２８までの処理を、参照感度が上限の感度「ＩＳＯ１６００」に達するまで続けた場合（ステップＳ２２７におけるＹｅｓ判定）には、撮像時の感度を上限の感度「ＩＳＯ１６００」に決定する（ステップＳ２２９）。
【０１１９】
また、ステップＳ２２５からステップＳ２２８までの処理が、参照感度が上限の感度「ＩＳＯ１６００」に達する前の感度で止まった場合（ステップＳ２２６におけるＹｅｓ判定）には、その止まった時点での参照感度を撮像時の感度に決定する（ステップＳ２３０）。
【０１２０】
このようにステップＳ２２９あるいはステップＳ２３０を経て感度が決定された場合には、その感度が決定されたときの仮のシャッタ秒時を撮像時のシャッタ秒時に決定する（ステップＳ２３１）。
【０１２１】
また、そもそもステップＳ２２２の際に、被写体像のＥＶ値が上記の絞り用閾値以上であった場合（ステップＳ２２２におけるＮｏ判定）には、標準感度「ＩＳＯ２００」が撮像時の感度に決定され（ステップＳ２３２）、通常用プログラム線図Ｐ２と画質優先用プログラム線図Ｐ３における共通のラインＭ１からラインＭ３を参照して撮像時の絞り値が決定される（ステップＳ２３３）。このステップＳ２３２での絞り値の決定は、図６のステップＳ１２１での絞り値の決定と、プログラム線図におけるラインの配置が異なるだけで同様の処理となるので重複説明を省略する。
【０１２２】
そして、ステップ２３２以降のフローを経て感度と絞り値とが決定された場合には、プログラム線図におけるその感度と絞り値に対応するライン上で、被写体像のＥＶ値に対応するシャッタ秒時を撮像時のシャッタ秒時に決定する（ステップＳ２３４）。
【０１２３】
以上、説明したように撮像時の絞り値、感度、およびシャッタ秒時が全て決定されると、処理が図１３のフローチャートに戻り、ユーザによるレリーズボタン１６の全押しを受けて、レリーズボタン１６の半押し時に決定された絞り値、感度、およびシャッタ秒時による撮像が実行される（ステップＳ２１３）。また、この撮像の際には、フラッシュ発光を指示するフラグが立てられている場合には撮像に同期してフラッシュが発光される。
【０１２４】
そして、ステップＳ２１３の撮像が終了すると、この図１３のフローチャートが表す処理が終了する。
【０１２５】
以上に説明した本発明の第３実施形態であるデジタルカメラによると、ブレ抑制を許可することで被写体像をなるべくその明るさのままで撮像できると共に、相対的に低感度で撮像することでノイズに対する耐性が強い撮像を行うことができる。
【０１２６】
次に、本発明の第４実施形態について説明する。
【０１２７】
図１５は、本発明の第４実施形態であるデジタルカメラの回路構成を示すブロック図である。
【０１２８】
この図１５に示すデジタルカメラ４は、被写体像のブレが、被写体自体の動きに伴うブレを含むか否かを判定するブレ判定部５４を備えている点が、図２に示した第１実施形態のデジタルカメラ１とは異なる。そこで、以下では、この第１実施形態との相違点に注目した説明を行い、重複説明については省略する。また、図１５では、図２に示す構成要素と同等な構成要素については図２と同じ符号が付されている。ここで、このブレ判定部５４は、本発明にいうブレ判定部の一例に相当する。
【０１２９】
このデジタルカメラ４が備えているブレ判定部５４は、レリーズボタン１６が半押しされたときに、絞り値等の決定のために生成される画像信号が表す撮像画像に対する次のような解析によって上記のような判定を行う。
【０１３０】
図１６は、被写体像のブレが、被写体自体の動きに伴うブレを含むか否かの判定について説明する説明図である。
【０１３１】
撮像画像をこの図１６に示すように複数のブロックに分割したとき、仮に撮像時に手ブレが生じていた場合には、図１６のパート（Ａ）に示すように、手ブレの影響は全てのブロックに一様に現れる。一方、仮に撮像時に被写体ブレが生じていた場合には、図１６のパート（Ｂ）に示すように、被写体ブレの影響は、その被写体が写っている部分のブロックについて限定的に現れる。また、被写体自体の動きがその被写体の各部位によって異なることもあり、被写体ブレの影響が現れている各ブロックにおける影響は不規則なものとなる可能性が高い。実際の撮像画像では、これら２種類のブレの影響が混在していることが多い。
【０１３２】
図１５に示すブレ判定部５４は、半押し時に得た撮像画像をこの図１６に示すように複数のブロックに分割し、各ブロックについて、そのブロック内の像のエッジの広がりを像の動きの大きさとし、その広がりの方向を像の動きの方向とする動きベクトルを求める。そして、全ての動きベクトルについて大きさと方向の一様性が所定程度以下であって、かつ、所定の大きさ以上の動きベクトルが得られたブロックの数が所定の閾値以下である場合に、その撮像画像に現れているブレの影響では、被写体ブレの影響が支配的であるとみなす。そして、その半押し時に得た撮像画像の分析結果が、被写体ブレの影響が支配的というものであった場合には、撮像の準備段階である現時点で結像されている被写体像のブレに被写体ブレが含まれている、言い替えると、現時点で被写体が動いていると判定する。
【０１３３】
この判定結果は露出制御回路５５に伝えられ、露出制御回路５５はその判定結果によっ絞り値等の決定に用いるプログラム線図を使い分ける。
【０１３４】
図１７は、図１５のブレ判定部５４での判定結果に応じてプログラム線図を使い分けるという処理を模式的に示す図である。
【０１３５】
本実施形態では、第２メモリ４３に、図６に示す高速用プログラム線図Ｐ１、図１１に示す通常用プログラム線図Ｐ２、図１２に示す画質優先用プログラム線図Ｐ３が格納されており、このデジタルカメラ４の動作時には、これら３種類のプログラム線図が第１メモリ４２に一時的に記憶される。本実施形態における露出制御回路５５は、ブレ抑制の許可／禁止に応じて第１メモリ４２から読み出すプログラム線図を切り替える概念上の第１切替スイッチ５５ａと、図１５のブレ判定部５４での判定結果に応じてプログラム線図を切り替える概念上の第２切替スイッチ５５ｂとを有している。この露出制御回路５５は、ブレ抑制が禁止されているときには通常用プログラム線図Ｐ２を取り寄せる。また、ブレ抑制が許可されている場合には、ブレ判定部５４によって被写体ブレが含まれると判定されたときに高速用プログラム線図Ｐ１を取り寄せ、ブレ判定部５４によって被写体ブレは含まれないと判定されたときに画質優先用プログラム線図Ｐ３を取り寄せる。そして、露出制御回路５５は、その取り寄せたプログラム線図を使って上述したような絞り値、感度、およびシャッタ秒時の決定を行う。
【０１３６】
このような処理により、ユーザがブレ抑制を特に望んでいない場合には相対的に標準的な絞り値等を採用している通常用プログラム線図Ｐ２を用いることで標準的な撮像を行い、ユーザがブレ抑制を所望している場合には、そのブレ抑制の許可によって、被写体像をなるべくその明るさのままで撮像することができると共に、半押し時の被写体像のブレに被写体ブレが含まれているか否かに応じてプログラム線図を切り替えて次のように適切な撮像を行うことができる。即ち、半押し時の被写体像のブレに被写体ブレが含まれている、つまり現時点で被写体が動いていると判定された場合には、上述のブレ抑制機構だけでは抑制しきれない被写体ブレが撮像画像へ与える影響を、ブレに対する耐性が強い相対的に短いシャッタ秒時を採用している高速用プログラム線図Ｐ１を用いることで抑えることができる。また、被写体ブレが含まれていない、つまり現時点で被写体が動いていないと判定された場合には、相対的に低い感度を採用している画質優先用プログラム線図Ｐ３を用いることでノイズに対する耐性が強い撮像を行うことができる。
【０１３７】
次に、本発明の第５実施形態について説明する。
【０１３８】
図１８は、本発明の第５実施形態であるデジタルカメラの回路構成を示すブロック図である。
【０１３９】
この図１８に示すデジタルカメラ５は、スイッチ群４５に対する操作によって広角側から望遠側までの間に自在に設定されるズームレンズ２１の焦点距離を、このスイッチ群４５に対する操作に基づいて入手する焦点距離入手部５６を備えている点が、図２に示した第１実施形態のデジタルカメラ１とは異なる。そこで、以下では、この第１実施形態との相違点に注目した説明を行い、重複説明については省略する。また、図１５では、図２に示す構成要素と同等な構成要素については図２と同じ符号が付されている。
【０１４０】
撮像装置の姿勢の変動によって生じる手ブレの大きさは、そのときのズームレンズ２１の焦点距離によって大きく変わる。本実施形態では、この焦点距離が手ブレに及ぼす影響を考慮して、露出制御回路５７が、絞り値等の決定に用いるプログラム線図を使い分けるという構成となっている。
【０１４１】
図１９は、焦点距離と手ブレの関係を模式的に示す図である。
【０１４２】
この図１９には、デジタルカメラ５の動きの幅は同じであっても、最も焦点距離が長い望遠状態で結像された、被写体チャートＣについての被写体像Ｃ１に、その長い焦点距離のせいでデジタルカメラ５の動きが過大に影響し、手ブレの幅が最も広くなる様子が示されている。そして、中間、広角というように焦点距離が短くなる程、デジタルカメラ５の動きが被写体像Ｃ１に及ぼす影響も小さくなり、手ブレの幅も狭くなっている。
【０１４３】
そこで、本実施形態では、手ブレの大きさに影響を及ぼす焦点距離を焦点距離入手部５６が入手し、その入手結果を露出制御回路５７に伝える。
【０１４４】
図２０は、図１８の焦点距離入手部５６での入手結果に応じてプログラム線図を使い分けるという処理を模式的に示す図である。
【０１４５】
本実施形態では、第２メモリ４３に、図６に示す高速用プログラム線図Ｐ１、図１１に示す通常用プログラム線図Ｐ２、図１２に示す画質優先用プログラム線図Ｐ３が格納されており、このデジタルカメラ４の動作時には、これら３種類のプログラム線図が第１メモリ４２に一時的に記憶される。本実施形態における露出制御回路５７は、ブレ抑制の許可／禁止に応じて第１メモリ４２から読み出すプログラム線図を切り替える概念上の第１切替スイッチ５７ａと、図１８の焦点距離入手部５６での入手結果に応じてプログラム線図を切り替える概念上の第２切替スイッチ５７ｂとを有している。
【０１４６】
ブレ抑制が禁止されているときには、通常用プログラム線図Ｐ２が取り寄せられる。一方、ブレ抑制が許可されているときには、まず、焦点距離入手部５６で入手された焦点距離が所定の閾値以上に長いか否かが判定される。そして、焦点距離が閾値以上である場合には、大きな手ブレが生じやすいとみなしてブレに対する耐性が強い高速用プログラム線図Ｐ１が取り寄せられる。また、焦点距離が閾値未満である場合には、手ブレは小さいとみなして、ノイズに対する耐性が強い画質優先用プログラム線図Ｐ３が取り寄せられる。
【０１４７】
このような処理により、ユーザがブレ抑制を特に望んでいない場合には相対的に標準的な絞り値等を採用している通常用プログラム線図Ｐ２を用いることで標準的な撮像を行い、ユーザがブレ抑制を所望している場合には、そのブレ抑制の許可によって、被写体像をなるべくその明るさのままで撮像することができると共に、望遠時でもブレに対する耐性が強い撮像を行うことができる。また、広角時には、手ブレは小さいとみなして、相対的に低い感度を採用している画質優先用プログラム線図Ｐ３を用いることでノイズに対する耐性が強い撮像を行うことができる。
【０１４８】
尚、上記では、本発明の一実施形態としてデジタルカメラを例示したが、本発明はこれに限るものではなく、本発明の一実施形態は、例えば、カメラ機能を有する携帯電話等であっても良い。
【０１４９】
また、上記では、本発明にいうブレ抑制部の一例として、補正レンズを動かして被写体像の手ブレを抑制する、ブレ抑制機構２５とブレ抑制回路３３とを合わせたものを例示したが本発明はこれに限るものではなく、本発明にいうブレ抑制部は、例えば、ＣＣＤを動かして被写体像の手ブレを抑制するものであっても良く、あるいは、撮像で得た画像信号が表す画像を解析してその画像中のブレを除去するという除去処理を行うもの等であっても良い。
【図面の簡単な説明】
【０１５０】
【図１】本発明の第１から第５までの各実施形態である各デジタルカメラに共通の外観斜視図である。
【図２】本発明の第１実施形態であるデジタルカメラの回路構成を示すブロック図である。
【図３】図２に示すデジタルカメラ１でレリーズボタン１６の半押し後に実行される処理を、ブレ抑制とフラッシュ発光の可否判断に注目して表すフローチャートである。
【図４】図２に示したブレ抑制機構２５、角速度センサ３２、およびブレ抑制回路３３の詳細を示す図である。
【図５】ブレ抑制を表わすフローチャートである。
【図６】フラッシュ非発光時の撮像に対応したプログラム線図を示す図である。
【図７】図３に示すフラッシュ非発光用露出制御処理（ステップＳ１１０）の詳細を示すフローチャートである。
【図８】本発明の第２実施形態であるデジタルカメラの回路構成を示すブロック図である。
【図９】複数のプログラム線図を撮像モードに応じて使い分けるという処理を模式的に示す図である。
【図１０】２種類のプログラム線図をブレ抑制の許可／禁止に応じて使い分けるという処理を模式的に示す図である。
【図１１】通常用プログラム線図Ｐ２を示す図であり、図１２は、画質優先用プログラム線図Ｐ３を示す図である。
【図１２】画質優先用プログラム線図Ｐ３を示す図である。
【図１３】２種類のプログラム線図を使い分けて行う第３実施形態のデジタルカメラにおいて、レリーズボタンの半押し後に実行される処理を、ブレ抑制とフラッシュ発光の可否判断に注目して表すフローチャートである。
【図１４】図１３に示すフラッシュ非発光用露出制御処理（ステップＳ２２０）の詳細を示すフローチャートである。
【図１５】本発明の第４実施形態であるデジタルカメラの回路構成を示すブロック図である。
【図１６】被写体像のブレが、被写体自体の動きに伴うブレを含むか否かの判定について説明する説明図である。
【図１７】図１５のブレ判定部５４での判定結果に応じてプログラム線図を使い分けるという処理を模式的に示す図である。
【図１８】本発明の第５実施形態であるデジタルカメラの回路構成を示すブロック図である。
【図１９】焦点距離と手ブレの関係を模式的に示す図である。
【図２０】図１８の焦点距離入手部５６での入手結果に応じてプログラム線図を使い分けるという処理を模式的に示す図である。
【符号の説明】
【０１５１】
１，２，４，５    デジタルカメラ
１１    撮像レンズ
１２    ズーム鏡胴
１３    フラッシュ発光装置
１４    光学式ファインダ対物窓
１５    電源スイッチ
１６    レリーズボタン
２１    ズームレンズ
２２    フォーカスレンズ
２３    アイリス
２４    ＣＣＤ
２５    ブレ抑制機構
２５ａ    補正レンズ
２５ｂ    Ｘ軸アクチュエータ
２５ｃ    Ｙ軸アクチュエータ
２５ｄ    Ｘ軸位置センサ
２５ｅ    Ｙ軸位置センサ
２６    読出回路
２７    画像入力コントローラ
２８    画像信号処理回路
２９    圧縮処理回路
３０    ビデオエンコーダ
３１    ＬＣＤ
３２    角速度センサ
３２ａ    ヨー方向センサ
３２ｂ    ピッチ方向センサ
３３    ブレ抑制回路
３３ａ    角速度検出回路
３３ｂ    位置検出回路
３３ｃ    手ブレ補正制御回路
３３ｄ    ドライブ回路
３４    ＣＰＵ
３５，３６，３７    モータドライバ
３８    タイマ
３９    ＡＦ検出回路
４０    そのＡＥ＆ＡＷＢ検出回路
４１，５２，５３，５５，５７    露出制御回路
４２    第１メモリ
４３    第２メモリ
４４    メディアコントローラ
４５    スイッチ群
４６    電源回路
４７    バッテリ
５０    バスライン
５１    モードダイヤル
５２ａ，５３ａ    切替スイッチ
５２ｂ    スイッチ
５４    ブレ判定部
５５ａ，５７ａ    第１切替スイッチ
５５ｂ，５７ｂ    第２切替スイッチ
５６    焦点距離入手部
１００    記録メディア
【図１】
2008107608.tif 000003
【図２】
2008107608.tif 000004
【図３】
2008107608.tif 000005
【図４】
2008107608.tif 000006
【図５】
2008107608.tif 000007
【図６】
2008107608.tif 000008
【図７】
2008107608.tif 000009
【図８】
2008107608.tif 000010
【図９】
2008107608.tif 000011
【図１０】
2008107608.tif 000012
【図１１】
2008107608.tif 000013
【図１２】
2008107608.tif 000014
【図１３】
2008107608.tif 000015
【図１４】
2008107608.tif 000016
【図１５】
2008107608.tif 000017
【図１６】
2008107608.tif 000018
【図１７】
2008107608.tif 000019
【図１８】
2008107608.tif 000020
【図１９】
2008107608.tif 000021
【図２０】
2008107608.tif 000022